(57)【要約】【課題】  従来の買取確認データを利用した複製景品の判定に加えて、在庫景品の出荷とは無関係に複製景品の可能性を判定することも可能とする。【解決手段】  （Ａ）各景品について識別コードＣと関連付けて記録される買取確認データＤ１を、（a1）各景品の買取時には、当該景品についての確認データＤ１が買取状態を示し、（a2）買取り済みの在庫景品の全部または一部の出荷時には、全ての確認データＤ１が未買取状態を示すように書き換える。また、（Ｂ）各景品について識別コードＣと関連付けて記録される買取回数データＤ２を、（b1)任意の設定期間内においては、各景品の買取りの度に、当該景品についての回数データＤ２が、設定期間内での合計買取回数を示すように更新され、（b2)設定期間の経過時には、全ての回数データＤ２がリセットされるように書き換える。【選択図】  図１
2005278971.tif 000002
【特許請求の範囲】
【請求項１】
遊技客が獲得した遊技媒体と交換された景品の買取りと、買取った景品の出荷とを管理するための景品交換管理方法において、
各景品から読み取られる、個々の景品を特定可能な識別コードに基づいて、
（Ａ）各景品について識別コードと関連付けて記録される買取確認データを、
（a1）各景品の買取時には、当該景品についての買取確認データが買取状態を示し、
（a2）買取り済みの在庫景品の全部または一部の出荷時には、全ての買取確認データ  が未買取状態を示す、
ように書き換えると共に、
（Ｂ）各景品について識別コードと関連付けて記録される買取回数データを、
（b1)任意の設定期間内においては、各景品の買取りの度に、当該景品についての買取  回数データが、設定期間内での合計買取回数を示すように更新され、
（b2)設定期間の経過時には、全ての買取回数データがリセットされる、
ように書き換える、ことを特徴とする景品交換管理方法。
【請求項２】
各景品の買取時において、当該景品についての買取回数データによって示される合計買取回数が所定の基準回数に達した場合には、当該景品について所定の報知が行われる、ことを特徴とする請求項１記載の景品交換管理方法。
【請求項３】
各景品の買取時において、当該景品についての買取回数データによって示される合計買取回数が所定の基準回数に達した場合には、当該景品についての識別コードに対して警告フラグがセットされる、ことを特徴とする請求項１又は２記載の景品交換管理方法。
【発明の詳細な説明】
【技術分野】
【０００１】
本発明は、パチンコ等の遊技客が獲得した遊技媒体と交換された景品の買取りと、買取った景品の出荷とを管理するための景品交換管理方法に係り、特に景品の偽造対策を図った景品交換管理方法に関する。
【背景技術】
【０００２】
上記のような景品交換管理方法としては、例えば特許文献１や特許文献２に記載されたものがある。特許文献１には、各景品から読み取られるセキュリティコードが、予め登録されている適正なコードと一致するか否かを照合する技術が記載されている。また、特許文献２には、各景品から読み取られる本物偽物判別情報に基づいて、景品の真偽を判定する技術が記載されている。
【０００３】
ところが、これらの技術では、セキュリティコード等の真偽判定用の情報自体も複写された複製景品（いわゆるデッドコピー）に対して有効ではない。そこで、次のような景品交換管理方法も提案されている。
【０００４】
すなわち、図１の一部にも示すように、各景品から読み取られる、個々の景品を特定可能な識別コードＣに基づいて、
（Ａ）各景品について識別コードＣと関連付けて記録されるビットデータである買取確認データＤ１を、
（a1）各景品の買取時には、当該景品についての買取確認データＤ１が買取状態「１」を示し、
（a2）買取り済みの在庫景品の全部または一部の出荷時には、全ての買取確認データＤ１が未買取状態「０」を示す、
ように書き換える。
【０００５】
そして、ある識別コードＣを有する景品についての買取確認データＤ１が既に買取状態「１」を示しているにもかかわらず、同じ識別コードＣを有する景品が持ち込まれた場合には、その景品が複製景品であると判定するのである。
【特許文献１】特開平８−１１７４３０号公報（要約書等）
【特許文献２】特開２０００−１２６４３９号公報（要約書等）
【発明の開示】
【発明が解決しようとする課題】
【０００６】
上記のような買取確認データを利用した従来の景品交換管理方法には、次のような問題点がある。
【０００７】
すなわち、実際の景品交換業務における運用の都合上、買取り済みの在庫景品を出荷する際に、出荷される個々の景品の識別コードＣを特定することができない。従って、上記（a2）のように、出荷される景品が在庫景品の一部（理論上は１個）であったとしても、全ての買取確認データＤ１を未買取状態「０」に書き換えてしまう。
【０００８】
このため、特に出荷間隔が短いと、ある識別コードＣを有する景品についての買取確認データＤ１が、他の在庫景品の出荷によって未買取状態「０」に書き換えられた後に、同じ識別コードＣを有する複製景品が持ち込まれてしまう恐れがある。その場合、複製景品であるとの判定がなされることなく通常の買取処理が行われてしまい、複製景品のチェック機能が働かないことになるのである。
【０００９】
本発明は、このような点を考慮してなされたものであり、従来の買取確認データを利用した複製景品の判定に加えて、在庫景品の出荷とは無関係に複製景品の可能性を判定することが可能な景品交換管理方法を提供することを目的とする。
【課題を解決するための手段】
【００１０】
第１の発明は、遊技客が獲得した遊技媒体と交換された景品の買取りと、買取った景品の出荷とを管理するための景品交換管理方法において、各景品から読み取られる、個々の景品を特定可能な識別コードに基づいて、
（Ａ）各景品について識別コードと関連付けて記録される買取確認データを、
（a1）各景品の買取時には、当該景品についての買取確認データが買取状態を示し、
（a2）買取り済みの在庫景品の全部または一部の出荷時には、全ての買取確認データ  が未買取状態を示す、
ように書き換えると共に、
（Ｂ）各景品について識別コードと関連付けて記録される買取回数データを、
（b1)任意の設定期間内においては、各景品の買取りの度に、当該景品についての買取  回数データが、設定期間内での合計買取回数を示すように更新され、
（b2)設定期間の経過時には、全ての買取回数データがリセットされる、
ように書き換える、ことを特徴とする景品交換管理方法である。
【００１１】
この第１の発明によれば、（Ａ）のような買取確認データの書き換えにより、ある識別コードを有する景品についての買取確認データが既に買取状態を示しているにもかかわらず、同じ識別コードを有する景品が持ち込まれた場合には、その景品が複製景品であると判定することができる。また、（Ｂ）のような買取回数データの書き換えにより、ある識別コードを有する景品についての買取回数データが異常に多い合計買取回数を示している場合、その景品が複製景品の可能性有りと判定することができる。この場合、異常に多い合計買取回数であるか否かは設定期間との関係で相対的に判断されるが、その設定期間は任意に、すなわち在庫景品の出荷とは無関係に定めることができる。
【００１２】
従って、従来の買取確認データを利用した複製景品の可能性の判定に加えて、在庫景品の出荷とは無関係に、任意の設定期間との関係で複製景品の可能性を判定することが可能となる。
【００１３】
第２の発明は、第１の発明において、各景品の買取時において、当該景品についての買取回数データによって示される合計買取回数が所定の基準回数に達した場合には、当該景品について所定の報知が行われるものである。
【００１４】
この第２の発明によれば、合計買取回数の基準回数を（設定期間との関係で）複製景品の可能性有りと判定すべき回数に設定しておくことで、複製景品の可能性がある景品の存在をその買取時に報知することができる。
【００１５】
第３の発明は、第１又は第２の発明において、各景品の買取時において、当該景品についての買取回数データによって示される合計買取回数が所定の基準回数に達した場合には、当該景品についての識別コードに対して警告フラグがセットされるものである。
【００１６】
この第３の発明によれば、合計買取回数の基準回数を（設定期間との関係で）複製景品の可能性有りと判定すべき回数に設定しておくことで、複製景品の可能性がある景品について、その識別コードに対して警告フラグがセットされる。これにより、買取確認データや買取回数データをチェックするまでもなく（従って、在庫景品の出荷とも所定の設定期間とも無関係に）警告フラグがセットされた識別コードを有する景品は、一律に複製景品の可能性有りと判定することができる。
【発明を実施するための最良の形態】
【００１７】
次に、図面を参照して本発明の一実施形態について説明する。図１乃至図３は本発明による景品交換管理方法の実施の形態を説明するための図である。以下、本実施形態の構成、作用効果および変形例について順次説明する。
【００１８】
［構  成］
本実施形態の景品交換管理方法は、パチンコ等の遊技客が獲得した遊技媒体と交換された景品の買取りと、買取った景品の出荷とを管理するためのものである。この場合の景品は、例えば、バーコード等によって所定の景品データが記録された厚手のカード状のものであり、一般に「特殊景品」と称される。記録される景品データには、景品の買取価格等の他、個々の景品を特定可能な識別コードが含まれる。
【００１９】
まず、図２を参照して、本発明の方法が適用される一般的な景品交換管理システムについて説明する。図２に示す景品交換管理システムは、景品読取機１、現金払出機２および管理装置３を備えている。景品読取機１および現金払出機２は、それぞれ管理装置３に通信可能に接続されている。
【００２０】
景品読取機１は、各景品に記録された景品データを読み取って景品集計データ（各景品の識別コードや、景品の種類（価格）別にカウントした枚数を含むデータ）として集計し、これを管理装置３へ送信する。なお、景品読取機１は、読み取った景品データに基づいて、各景品を景品の種類別に分類して集積する機能も有している。管理装置３は、景品読取機１から送信された景品集計データを管理すると共に、必要に応じて、景品集計データに基づいた金額の出金指示を現金払出機２へ送信する。そして、現金払出機２は、管理装置３から送信された出金指示に応じて現金の払出しを行う。
【００２１】
また、管理装置３は、景品管理データベースＤＢを有し、景品読取機１から送信された景品集計データに含まれる各景品の識別コードに基づいて、次の（Ａ）および（Ｂ）のようなデータ管理を行う。
【００２２】
（Ａ）図１に示すように、各景品について識別コードＣと関連付けて記録される買取確認データＤ１を、
（a1）各景品の買取時には、当該景品についての買取確認データＤ１が買取状態＝
「１」を示し、
（a2）買取り済みの在庫景品の全部または一部の出荷時には、全ての買取確認データ  Ｄ１が未買取状態＝「０」を示す、
ように書き換える。
【００２３】
（Ｂ）図１に示すように、各景品について識別コードＣと関連付けて記録される買取回数データＤ２を、
（b1)任意の設定期間内においては、各景品の買取りの度に、当該景品についての買取  回数データＤ２が、設定期間内での合計買取回数を示すように更新され、
（b2)設定期間の経過時には、全ての買取回数データＤ２がリセットされる、
ように書き換える。
【００２４】
ここで、買取回数データＤ２についての設定期間は、例えば１日の営業時間、１週間、１月等、在庫景品の出荷間隔その他を考慮して適宜定めることができる。そして、買取回数データＤ２の更新は、リセット時の「０００」＝０から景品の買取りの度に＋１ずつ加算されて行くように行われる。
【００２５】
また、管理装置３は、買取回数データＤ２との関係で次のようなデータ管理を行う。すなわち、各景品の買取時において、当該景品についての買取回数データＤ２によって示される合計買取回数が所定の基準回数に達した場合には、当該景品についての識別コードＣに対する警告データＤ３が非警告状態＝「０」から警告状態＝「１」に書き換えられる（警告フラグがセットされる）。
【００２６】
なお、合計買取回数の基準回数は、景品交換業務の実情等を考慮して、買取回数データＤ２についての設定期間との関係で複製景品の可能性有りと判定すべき回数に設定すればよい。例えば、買取回数データＤ２についての設定期間が１日の営業時間であって、その時間内での同一景品の平均買取回数が５〜１０回程度である場合において、複製景品の可能性有りと判定すべき回数として２０回を基準回数とすることが考えられる。
【００２７】
ここで図２に示すように、管理装置３は、画像表示部３０、音声報知部３２、操作キー３４およびデータプリンタ３６を有している。そして、管理装置３は、各景品の買取時において（買取確認データＤ１、買取回数データＤ２または警告フラグに基づいて）当該景品が複製景品（の可能性有り）と判定される場合には、画像表示部３０や音声報知部３２によって所定の報知（警告の画像表示や音声出力等）を行う。
【００２８】
より具体的には、景品読取機１で読み取られた各景品の識別コードＣとの関係において、例えば図３のフローチャートに示すような手順の景品買取処理が行われる。まず、図３のステップＳ１で、当該景品についての警告データＤ３が警告状態「１」を示しているか否かがチェックされる。その結果、警告状態「１」を示していた場合には（ステップＳ１：Ｙｅｓ）、ステップＳ２で警告データＮＧとして所定の報知が行われる。
【００２９】
一方、警告データＤ３が警告状態「１」を示していなかった（非警告状態「０」を示していた）場合には（ステップＳ１：Ｎｏ）、ステップＳ３で、当該景品についての買取確認データＤ１が買取状態「１」を示しているか否かがチェックされる。その結果、買取確認データＤ１が既に買取状態「１」を示していた場合には（ステップＳ３：Ｙｅｓ）、ステップＳ４で買取確認データＮＧとして所定の報知が行われる。
【００３０】
一方、買取状態「１」を示していなかった（未買取状態「０」を示していた）場合には（ステップＳ３：Ｎｏ）、ステップＳ５で買取確認データＤ１が買取状態「１」に書き換えられる。また、ステップＳ６で、当該景品についての買取回数データＤ２が、＋１だけ加算された合計買取回数を示すように更新される。
【００３１】
次に、ステップＳ７で、更新された買取回数データＤ２が基準回数に達しているか否かがチェックされる。その結果、買取回数データＤ２が基準回数に達している場合には（ステップＳ７：Ｙｅｓ）、ステップＳ８で買取回数データＮＧとして所定の報知が行われる。また、ステップＳ９で、当該景品についての警告データＤ３が警告状態「１」に書き換えられる。一方、買取回数データＤ２が基準回数に達していなかった場合には（ステップＳ７：Ｎｏ）、そのまま景品買取処理を完了する。
【００３２】
上述したように、ステップＳ５で買取状態「１」に書き換えられた買取確認データＤ１は、買取り済みの在庫景品の全部または一部の出荷時には、全て未買取状態「０」に書き換えられる。また、買取回数データＤ２は、設定期間の経過時に全て「０００」にリセットされる。
【００３３】
［作用効果］
次に、以上のような構成よりなる本実施形態の作用効果について説明する。
【００３４】
まず、上記（Ａ）のような買取確認データＤ１の書き換えにより、ある識別コードＣを有する景品についての買取確認データＤ１が既に買取状態「１」を示しているにもかかわらず、同じ識別コードＣを有する景品が持ち込まれた場合には、その景品が複製景品であると判定することができる。
【００３５】
また、上記（Ｂ）のような買取回数データＤ２の書き換えにより、ある識別コードＣを有する景品についての買取回数データＤ２が異常に多い合計買取回数を示している（合計買取回数が基準回数に達している）場合、その景品が複製景品の可能性有りと判定することができる。この場合、合計買取回数が異常に多いか否かは設定期間との関係で相対的に判断される（設定期間との関係で基準回数が定められる）が、その設定期間は任意に、すなわち在庫景品の出荷とは無関係に定めることができる。
【００３６】
従って、本実施形態の景品交換管理方法によれば、従来の買取確認データを利用した複製景品の可能性の判定に加えて、在庫景品の出荷とは無関係に、任意の設定期間との関係で複製景品の可能性を判定することが可能となる。
【００３７】
また、買取回数データＤ２によって示される合計買取回数の基準回数を（設定期間等との関係で）複製景品の可能性有りと判定すべき回数に設定しておくことで、複製景品の可能性がある景品についての警告データＤ３が警告状態「１」に書き換えられる。これにより、買取確認データＤ１や買取回数データＤ２をチェックするまでもなく（従って、在庫景品の出荷とも所定の設定期間とも無関係に）対応する警告データＤ３が警告状態「１」となっている識別コードＣを有する景品は、一律に複製景品の可能性有りと判定することができる。
【００３８】
そして、各景品の買取時において（警告データＤ３、買取確認データＤ１または買取回数データＤ２に基づいて）当該景品が複製景品（の可能性あり）と判定される場合には、管理装置３の画像表示部３０や音声報知部３２によって報知することで、即時に適切な対応を取ることが可能となる。
【００３９】
［変形例］
（１）買取確認データＤ１、買取回数データＤ２および警告データＤ３は、図１に示した形式には限定されず、それぞれ買取／未買取状態、合計買取回数および警告／非警告状態を示すことができれば形式を問わない。
【００４０】
（２）買取回数データＤ２は、特に設定期間が長期になると、蓄積されるデータ量が買取確認データＤ１に比べて大幅に多くなる。そこで、管理装置３内部の記憶媒体とは別の大容量の外部記憶媒体に買取回数データＤ２を保持させるようにしてもよい。
【図面の簡単な説明】
【００４１】
【図１】本発明による景品交換管理方法で取り扱われるデータの表記例を示す図。
【図２】本発明の方法が適用される一般的な景品交換管理システムを示す模式図。
【図３】本発明による景品交換管理方法を利用した景品買取処理の手順を説明するためのフローチャート。
【符号の説明】
【００４２】
Ｃ  識別コード
Ｄ１  買取確認データ
Ｄ２  買取回数データ
Ｄ３  警告データ
１  景品読取機
２  現金払出機
３  管理装置
３０  画像表示部
３２  音声報知部
ＤＢ  景品管理データベース
【図１】
2005278971.tif 000003
【図２】
2005278971.tif 000004
【図３】
2005278971.tif 000005